(57)【特許請求の範囲】
【請求項１】
内容物が収容される容器の口部に配設され、前記内容物を一時的に収容して注出する注出器本体と、
前記注出器本体に上方付勢状態で下方移動自在に設けられた押下ヘッドと、
前記押下ヘッドに設けられ、前記押下ヘッドと共に上下移動するストッパと、
を備え、
前記注出器本体は、
前記押下ヘッドの上下移動によって内圧が増減されるシリンダと、
前記口部に配設され、前記シリンダに連設されて前記シリンダの内圧の増減に応じて前記シリンダとの連通及び遮蔽が切り替えられる吸上筒と、
前記シリンダに直結されて側方に向けて延び、前記シリンダの内圧の増減に応じて前記シリンダとの連通及び遮蔽が切り替えられる注出筒と、
を有し、
前記ストッパには、前記注出器本体のうち当該ストッパに下方から対向する対向部分に当接可能な当接段部が設けられ、
前記ストッパ及び前記押下ヘッドには、それぞれ互いに係合することで相対的な周方向の位置を決めて複数の前記当接段部のうち前記対向部分に当接可能な当接段部が１つ決められる係合部が形成されていることを特徴とする定量注出器。
【請求項２】
前記当接段部は、前記押下ヘッドの周方向に沿って、上下方向の位置が互いに異なるように複数設けられていることを特徴とする請求項１に記載の定量注出器。
【請求項３】
前記ストッパには、それぞれの前記当接段部における前記周方向の両端部から下方に向けて延在して前記対向部分を両側から挟み込み可能な案内突部が突設されていることを特徴とする請求項１または２に記載の定量注出器。
【発明の詳細な説明】
【技術分野】
【０００１】
本発明は、定量注出器に関するものである。
【背景技術】
【０００２】
従来、定量注出器として、注出される内容物を一時的に収容するシリンダと、シリンダ内に下方付勢状態で設けられると共に上下移動によってシリンダの内圧を増減させるピストンロッドと、ピストンロッドを引き上げる操作ハンドルと、シリンダに連設されると共に容器の口部内に配設され、シリンダの内圧の増減に応じてシリンダとの連通及び遮蔽が切り替えられる吸上筒と、シリンダに直結されて側方に向けて延び、シリンダの内圧の増減に応じてシリンダとの連通及び遮蔽が切り替えられる注出筒と、を備える構成が知られている（例えば、特許文献１参照）。
この定量注出器では、レバーを用いてピストンロッドを引き上げると、シリンダ内が負圧になって吸上筒とシリンダとが連通し、吸上筒から内容物がシリンダ内に吸入される。そして、シリンダと注出筒とが連通してシリンダ内に吸入された内容物が注出筒から注出される。
【０００３】
定量注出器では、正確な量を繰り返し注出させることが求められている。そこで、特許文献１に記載された定量注出器では、定量注出器の軸方向に階段状に形成された複数の突当段部を有する変更部材がシリンダに対して上下動不能に取り付けられている。変更部材は、ピストンロッドの下端外周面に設けられた係止駒と当接可能であり、突当段部は、ピストンロッドの上方移動時に係止駒と当接することによってピストンロッドのさらなる上方移動を規制しており、変更部材を軸回りで回転させて係止駒と当接する突当段部を切り替えることによって、変更部材によって規制される上方移動量を変更する。
【先行技術文献】
【特許文献】
【０００４】
【特許文献１】実公平６−２８４５２号公報
【発明の概要】
【発明が解決しようとする課題】
【０００５】
しかしながら、上記従来の定量注出器では、注出される内容物の量を変更する構成をより容易にすることについて改善の余地があった。本発明は、注出される内容物の量を容易に変更できかつ構成が簡素である定量注出器を提供することを目的とする。
【課題を解決するための手段】
【０００６】
本発明は、上記課題を解決するために以下のような手段を採用した。すなわち、本発明の定量注出器は、内容物が収容される容器の口部に配設され、前記内容物を一時的に収容して注出する注出器本体と、前記注出器本体に上方付勢状態で下方移動自在に設けられた押下ヘッドと、前記押下ヘッドに設けられ、前記押下ヘッドと共に上下移動するストッパと、を備え、前記注出器本体は、前記押下ヘッドの上下移動によって内圧が増減されるシリンダと、前記口部に配設され、前記シリンダに連設されて前記シリンダの内圧の増減に応じて前記シリンダとの連通及び遮蔽が切り替えられる吸上筒と、前記シリンダに直結されて側方に向けて延び、前記シリンダの内圧の増減に応じて前記シリンダとの連通及び遮蔽が切り替えられる注出筒と、を有し、前記ストッパには、前記注出器本体のうち当該ストッパに下方から対向する対向部分に当接可能な当接段部が設けられ、前記ストッパ及び前記押下ヘッドには、それぞれ互いに係合することで相対的な周方向の位置を決めて複数の前記当接段部のうち前記対向部分に当接可能な当接段部が１つ決められる係合部が形成されていることを特徴とする。
【０００７】
この発明では、押下ヘッドが上下移動しているときに対向部分と当接することによって押下ヘッドの下方移動を規制する当接段部を有するストッパが押下ヘッドに設けられているので、注出量を変更する構成が簡素化される。このストッパでは、当接段部を対向部分に対して上方から対向させて当接段部による規制を行う状態と対向させずに当接段部による規制を行わない状態とを選択することによって、押下ヘッドの下方移動量を変更している。したがって、シリンダや押下ヘッドの内部構成を複雑化することなく押下ヘッドの下方移動量を変更できる。
また、この発明では、ストッパを押下ヘッドに対して周方向で位置決めすることで、対向部分と対向させる当接段部の周方向の位置合わせがより確実に行える。
【０００８】
また、本発明の定量注出器は、前記当接段部は、前記押下ヘッドの周方向に沿って、上下方向の位置が互いに異なるように複数設けられていることが好ましい。
この発明では、複数の当接段部の中から対向部分に対して上方から対向させる当接段部を変更することによって、押下ヘッドの下方移動量を多段階に変更できる。
【００１０】
また、本発明の定量注出器は、前記ストッパには、それぞれの前記当接段部における前記周方向の両端部から下方に向けて延在して前記対向部分を両側から挟み込み可能な案内突部が突設されていることが好ましい。
この発明では、一対の案内部間で対向部分を挟み込んでストッパが上下方向に案内されることで、ストッパ及び対向部分による押下ヘッドの下方移動の規制が安定して行われる。
【発明の効果】
【００１１】
この発明にかかる定量注出器によれば、押下ヘッドの下方移動を規制する当接段部を有するストッパが押下ヘッドに設けられているので、シリンダや押下ヘッドの内部構成を複雑化することなく押下ヘッドの下方移動量を変更できる。
【図面の簡単な説明】
【００１２】
【図１】本発明の参考実施形態における定量注出器を示す側面図である。
【図２】図１の定量注出器を示す上面図である。
【図３】本発明の一実施形態における定量注出器を示す側面図である。
【図４】図３の定量注出器を示す上面図である。
【図５】本発明の他の参考実施形態における定量注出器を示す側面図である。
【発明を実施するための形態】
【００１３】
以下、本発明による定量注出器の参考実施形態を、図面に基づいて説明する。なお、以下の説明に用いる各図面では、各部材を認識可能とするために縮尺を適宜変更している。
本実施形態における定量注出器１は、内容物を収容した容器の口部に配設され、内容物を一時的に収容して注出する注出器本体２と、注出器本体２に上方付勢状態で下方移動自在に設けられた押下ヘッド３と、押下ヘッド３に被着され、押下ヘッド３と共に上下移動するストッパ４と、を備えている。
【００１４】
注出器本体２は、押下ヘッド３の上下移動によって内圧が増減されるシリンダ５と、シリンダ５に連設されて上記口部に配設される吸上筒６と、シリンダ５に直結されて側方に向けて延びる注出筒７と、を備えている。なお、上記容器内に収容される内容物としては、例えば水や酒類などの飲料液体のように比較的粘度の低い液体が挙げられるが、低粘度の液体に限られない。
図示の例では、押下ヘッド３、シリンダ５及び吸上筒６は、それぞれ共通軸と同軸に配設されている。以下、この共通軸を軸線Ｏと称し、軸線Ｏ方向に沿って押下ヘッド３側（図１における上側）を上方とし、その反対側（図１における下側）を下方とする。また、軸線Ｏ方向を軸方向、軸線Ｏに直交する方向を径方向、軸線Ｏ回りの方向を周方向とする。
【００１５】
シリンダ５は、有底円筒状をなしており、有底円筒状のシリンダ本体部１１と、シリンダ本体部１１の下面から下方に向けて突出する突出筒部１２と、シリンダ本体部１１の下面から径方向外方に向けて延びる連結筒部１３と、を備えている。シリンダ本体部１１の底面には、中央に吸上筒６に連通する吸上連通口（図示略）が形成され、中央から径方向外方に離間した位置に連結筒部１３に連通する注出連通口（図示略）が形成されている。
突出筒部１２の下端には、径方向外側に向けて突出するフランジ部（図示略）が形成されており、このフランジ部には、上記口部に着脱自在に螺着される装着筒部１４が係合している。
連結筒部１３の内部には、シリンダ本体部１１の内圧の増減に応じてシリンダ５と注出筒７との連通及び遮蔽を切り替える注出弁（図示略）が設けられている。この注出弁は、シリンダ本体部１１の内圧が増大すると、開放されてシリンダ５と注出筒７とを連通し、シリンダ本体部１１の内圧が減少すると、閉塞されてシリンダ５と注出筒７とを遮蔽する。
【００１６】
吸上筒６は、円筒状をなしており、基端がシリンダ本体部１１の底面に形成された上記吸上連通口に接続されており、シリンダ本体部１１の下方に向けて延びている。
また、吸上筒６の内部には、シリンダ本体部１１の内圧の増減に応じてシリンダ５と吸上筒６との連通及び遮蔽を切り替える吸上弁（図示略）が設けられている。この吸上弁は、シリンダ本体部１１の内圧が減少すると、開放されてシリンダ５と吸上筒６とを連通し、シリンダ本体部１１の内圧が増大すると、閉塞されてシリンダ５と吸上筒６とを遮蔽する。
【００１７】
注出筒７は、押下ヘッド３及びストッパ４の上下移動時には上下移動せず、連結筒部１３に連結されて径方向外側に向けて延びる基端部（対向部分）１８と、基端部１８の先端に接続されて径方向外側に向かうにしたがって漸次下方に向けて延びる先端部１９と、を備えている。基端部１８は、ストッパ４の後述する複数の当接凹部３５のうち選択された１つと下方から対向した状態でストッパ４を押下ヘッド３と共に押し下げた際に、この当接凹部３５と当接可能となっている。また、注出筒７の先端には、内容物を注出する注出口７Ａが形成されている。
【００１８】
押下ヘッド３は、シリンダ５の上端部に装着されており、有頂円筒状をなす押下筒部２１と、シリンダ本体部１１の内周面に沿って上下摺動自在なピストン部（図示略）と、を備えている。
押下筒部２１は、シリンダ本体部１１の上端部の外側を囲んでおり、押下ヘッド３の上下移動に伴ってシリンダ本体部１１の外側を上下移動する。また、押下筒部２１の内側には、軸方向に沿って延在し、上端が押下筒部２１の天面の裏面に当接しかつ下端がシリンダ本体部１１に対して不動に固定されているバネ（図示略）が配置されている。そのため、押下ヘッド３は、上記バネによって上方付勢状態でシリンダ５に配設される。
上記ピストン部は、押下ヘッド３を押し下げない状態においてシリンダ本体部１１の上端部を気密に閉塞しており、シリンダ本体部１１の内側に貯留空間を形成する。
【００１９】
ストッパ４は、押下ヘッド３に被着されており、有頂円筒状をなす被着部３１と、被着部３１の一部から下方に向けて突出するストッパ本体部３２と、を備えている。
被着部３１は、下端が押下ヘッド３の押下筒部２１の下端よりも下方まで位置しており、押下ヘッド３全体を覆っている。
ストッパ本体部３２は、被着部３１の下端から下方に向けて突出する板状部３３と、板状部３３の下端から径方向外側に向けて突出する複数の当接突出部３４と、を有している。
【００２０】
板状部３３は、周方向に沿って円弧状に湾曲する板状をなしている。そして、板状部３３の下端部には、上方に向けて陥没する扁平な半円状の当接凹部（当接段部）３５が周方向に沿って複数（図１及び図２では３つ）形成されている。当接凹部３５は、基端部１８の外形に合わせて形成されている。本実施形態では、当接凹部３５の曲率半径は、基端部１８の外周面の半径と同等になっており、各当接凹部３５は、軸方向に沿った配置位置が互いに異なっている。
当接突出部３４は、扁平の半円筒状をなしており、当接凹部３５の縁部から径方向外側に向けて突出している。当接突出部３４の内周面における曲率半径は、当接凹部３５の曲率半径と同等になっている。なお、当接突出部３４は、基端部１８の傾斜に合わせて、径方向外側に向かうにしたがって下方に向けて若干傾斜している。
【００２１】
次に、以上のような構成の定量注出器１を用いた内容物の注出方法について説明する。  まず、装着筒部１４を内容物が収容された上記容器の口部に螺着させ、定量注出器１を上記容器の口部に取り付ける。ここで、複数の当接凹部３５のうちの１つが上方から基端部１８と対向するようにストッパ４を押下ヘッド３に被着する。続いて、上記バネによる上方付勢力に対抗して押下ヘッド３及びストッパ４を押し下げる。押下ヘッド３及びストッパ４を押し下げると、押下ヘッド３及びストッパ４の上下移動時に基端部１８に当接凹部３５が当接することにより、押下ヘッド３のさらなる下方への移動が規制される。当接凹部３５及び当接突出部３４の形状が基端部１８の外形に合わせられているため、当接凹部３５が基端部１８に当接した状態で押下ヘッド３をさらに押し下げようとした際に当接凹部３５及び当接突出部３４にかかる力が分散される。
【００２２】
そして、押下ヘッド３の押し下げを解除すると、押下ヘッド３は、上記バネによる上方付勢力によって上方に移動し、押下ヘッド３のストローク量に応じた負圧をシリンダ本体部１１の上記貯留空間に発生させる。これにより、吸上筒６の内部に配置された上記吸上弁が開放されてシリンダ５と吸上筒６とを連通し、吸上筒６からシリンダ本体部１１内に上記容器内の内容物を流入させる。なお、この際、連結筒部１３の内部に配置されている上記注出弁が閉鎖されてシリンダ５と注出筒７とを遮蔽している。
【００２３】
このときの内容物の流入量は、上記貯留空間内に発生した負圧、すなわちストローク量に対応している。ストローク量を変更する際には、ストッパ４を押下ヘッド３に対して軸線Ｏ回りに回転させ、他の当接凹部３５を上方から基端部１８と対向させる。これにより、ストローク量の変更が行われる。
また、被着部３１の下端が押下ヘッド３の最下降位置において基端部１８に到達しない上下方向位置に形成されているため、板状部３３が形成されていない被着部３１の下端部分を基端部１８に対向させた状態で押下ヘッド３を押し下げると、フルストロークによる吐出が可能となる。本実施形態では、図２に示すように、ストッパ４において板状部３３の径方向反対側が、フルストローク可能な上記下端部分となっている。
【００２４】
シリンダ本体部１１内に内容物を流入させた後、押下ヘッド３を再び押し下げると、シリンダ本体部１１内が正圧になり、連結筒部１３の上記注出弁が開放されてシリンダ５と注出筒７とを連通し、シリンダ本体部１１内の内容物が注出筒７の注出口７Ａから注出される。この際、上記吸上弁が閉鎖されてシリンダ５と吸上筒６とを遮蔽している。そのため、シリンダ本体部１１内の内容物は、吸上筒６に戻されない。
以上のようにして、内容物を注出する。
【００２５】
以上より、本実施形態における定量注出器１によれば、基端部１８に当接可能である複数の当接凹部３５によって押下ヘッド３のストローク量を規制するストッパ４を押下ヘッド３に設けることで、シリンダ５や押下ヘッド３の内部構成を複雑化することなく押下ヘッド３のストローク量を変更できる構成を採用できる。
【００２６】
次に、本発明による定量注出器の一実施形態を、図面に基づいて説明する。なお、ここで説明する実施形態は、その基本的構成が上述した実施形態と同様であり、上述の実施形態に別の要素を付加したものである。したがって、図３及び図４においては、図１及び図２と同一構成要素に同一符号を付し、この説明を省略する。
【００２７】
本実施形態における定量注出器１００は、押下ヘッド１０１及びストッパ１０２の形状が異なる点で、参考実施形態における押下ヘッド３及びストッパ４と異なっている。
押下ヘッド１０１の押下筒部１０３の天壁部１０４には、図３及び図４に示すように、軸線Ｏを径方向で挟むように一対の位置決め突部（係合部）１０５が形成されている。一対の位置決め突部１０５は、平面視で注出筒７の延在方向と直交する方向に沿って延びる長円状をなしている。
【００２８】
ストッパ１０２の被着部１０６の上壁部１０７には、一対の位置決め突部１０５と各別に係合可能な位置決め孔部（係合部）１０８が周方向で間隔をあけて複数対（図３及び図４では３対）形成されている。３つの位置決め孔部１０８は、位置決め突部１０５と同様に平面視で長円状をなしており、後述する複数の当接凹部（当接段部）１１０と対応して形成されている。また、各対の位置決め孔部１０８は、周方向に均等間隔で形成されている。この場合、前記位置決め突部１０５もこれに対応するように同数形成してもよい。
ストッパ本体部１０９の下端縁には、上方に向けて陥没する半円状の当接凹部（当接段部）１１０が周方向に沿って複数（図３及び図４では３つ）形成されている。
【００２９】
以上のような構成の定量注出器１００においても、上述した参考実施形態における定量注出器１と同様にして内容物を注出するが、３つの位置決め孔部１０８のうちの一対を一対の位置決め突部１０５と係合させると、３つの当接凹部１１０のうち係合させた一対の位置決め孔部１０８に対応する１つが注出筒７の基端部１８と上方から対向する。これにより、基端部１８と対向させる当接凹部１１０の周方向の位置合わせが行われる。
【００３０】
また、ストローク量を変更する際には、ストッパ１０２を若干引き上げて位置決め孔部１０８と位置決め突部１０５との係合を解除した状態でストッパ１０２を軸線Ｏ回りで回転させ、上面視で新たに選択する当接凹部１１０に対応する一対の位置決め孔部１０８と一対の位置決め突部１０５とを位置合せする。そして、ストッパ１０２を再度押下ヘッド１０１に被着させ、この位置決め孔部１０８と位置決め突部１０５とを係合させる。これにより、新たに選択した当接凹部１１０は、基端部１８に対して上方から対向する。
【００３１】
このような定量注出器１００においても、上述した実施形態における定量注出器１と同様の効果を奏するが、所望の当接凹部１１０に対応する位置決め孔部１０８を位置決め突部１０５と係合させてストッパ１０２を押下ヘッド１０１に対して周方向で位置決めすることで、基端部１８と対向させる当接凹部１１０の周方向の位置合わせがより確実に行える。
【００３２】
次に、本発明による定量注出器の他の参考実施形態を、図面に基づいて説明する。なお、ここで説明する実施形態は、その基本的構成が上述した実施形態と同様であり、上述の実施形態に別の要素を付加したものである。したがって、図５においては、図３及び図４と同一構成要素に同一符号を付し、この説明を省略する。
【００３３】
本実施形態における定量注出器１２０は、ストッパ１２１の当接凹部（当接段部）１２２の周方向両側に案内部１２３が設けられている点で、上記実施形態におけるストッパ１０２と異なっている。
ストッパ本体部１２４には、図５に示すように、上方に向けて陥没する半円状の当接凹部１２２が周方向に沿って複数（図５では３つ）形成されている。そして、ストッパ本体部１２４の当接凹部１２２を周方向で挟む両端部には、ストッパ１２１を軸方向に案内する案内部１２３が設けられている。
案内部１２３は、当接凹部１２２の周方向両側から下方に向けて延びており、基端部１８を周方向で挟んでいる。
【００３４】
以上のような構成の定量注出器１２０では、上述した実施形態における定量注出器１、１００と同様にして内容物を注出するが、押下ヘッド３及びストッパ１２１を押し下げると、案内部１２３が基端部１８を周方向で挟んでいるため、周方向で隣り合う一対の案内部１２３がこの一対の案内部１２３間にある基端部１８に沿って軸方向に案内される。これにより、基端部１８に対するストッパ１２１の軸方向の移動が安定する。
また、ストローク量を変更する際には、ストッパ１２１を若干引き上げて基端部１８を案内部１２３の下端から離間させた後にストッパ１２１を軸回りに回転させ、他の当接凹部１２２を上方から基端部１８と対向させた状態で再度ストッパ１２１を押下ヘッド３に被着させる。
【００３５】
このような構成の定量注出器１２０においても、上述した実施形態における定量注出器１、１００と同様の効果を奏するが、周方向で隣り合う案内部１２３間に基端部１８を挟んでいるため、基端部１８に対するストッパ１２１の軸方向の移動が安定し、ストッパ１２１及び基端部１８による押下ヘッド３の下方移動の規制が安定して行われる。
【００３６】
なお、本発明は上記実施形態に限定されるものではなく、本発明の趣旨を逸脱しない範囲において種々の変更を加えることができる。
例えば、シリンダは、注出筒が取り付けられる連結筒部を有しているが、連結筒部を設けずにシリンダ本体部に注出筒を直接取り付けるなど他の構成を有してもよい。
吸上弁及び注出弁は、シリンダの内圧の増減に応じて同様の作用効果を奏すれば、他の位置に設けられていてもよい。
【００３７】
ストッパは、押下ヘッドの全体を被覆しているが、一部を覆う構成であってもよい。また、ストッパは、押下ヘッドに被着されているが、押下ヘッドと共に軸方向に移動できれば、他の方法によって押下ヘッドに取り付けられてもよく、押下ヘッドの下端部に一体成形で設けてもよい。
形成される当接凹部の数は、３つに限られず、１つや２つ、あるいは４つ以上形成してもよい。当接凹部が１つのみ形成されている場合には、上述のように、当接凹部を基端部に対向させて当接凹部による下方移動の規制を行う状態と、当接凹部を基端部に対向させずに当接凹部による下方移動の規制を行わない状態とを切り替えて押下ヘッドの下方移動量を変更する。
【００３８】
そして、当接凹部は、周方向に沿って形成位置が階段状をなすように配置されているが、軸方向における形成位置が異なっていれば、階段状に限られない。また、当接段部は、注出筒の基端部分に当接することによって押下ヘッドの下方移動が規制できれば、半円状の凹部に限らず、凸部など他の形状であってもよい。さらに、対向部分は、押下ヘッド及びストッパの上下移動時に押下ヘッド及びストッパと共に上下移動しない部分であれば、注出筒の基端部分に限らず、他の部分であってもよい。
【００３９】
上記参考実施形態においても、上述した一実施形態と同様に、ストッパに複数対の位置決め孔部を形成すると共に押下ヘッドに一対の位置決め突部を形成してもよい。また、ストッパに形成される係合部は、位置決め孔部に限らず、位置決め凸部と係合できれば凹部であってもよい。さらに、ストッパに位置決め凸部を形成し、押下ヘッドに位置決め孔部または凹部を形成してもよい。そして、係合部の形状は、互いに係合して当接段部を対向部分に対して周方向で位置合せすることができれば、凸部と孔部または凹部に限らず、他の形状であってもよい。また、係合部の形成位置は、ストッパ及び押下ヘッドの上面に限らず、側面など他の箇所であってもよい。
【産業上の利用可能性】
【００４０】
この発明によれば、注出される内容物の量を容易に変更できかつ構成が簡素である定量注出器に関して、産業上の利用可能性が認められる。
【符号の説明】
【００４１】
１，１００，１２０  定量注出器、２  注出器本体、３，１０１  押下ヘッド、４，１０２，１２１  ストッパ、５  シリンダ、６  吸上筒、７  注出筒、１８  基端部（対向部分）、３５，１１０，１２２  当接凹部（当接段部）、１０５  位置決め突部（係合部）、１０８  位置決め孔部（係合部）、１２３  案内部
【図１】
0005586329.tif 000002
【図２】
0005586329.tif 000003
【図３】
0005586329.tif 000004
【図４】
0005586329.tif 000005
【図５】
0005586329.tif 000006